(57)【要約】【課題】問題となるような振動や騒音を発することがなく、しかも、アンカーをコンクリート基礎に対してしっかりとした取付け状態にすることができ、加えて、精度良く取り付けることができる後施工アンカーの取付け構造を提供する。【解決手段】アンカー２が、基礎１の各側面部に沿わされる基礎定着板部２ｂを備え、各基礎定着板部の外面部にスタッド２ｃが一体的に設けられている。アンカーの基礎定着板部２ｂは基礎１の各側面部に沿わされた状態に配置され、基礎の各側面部には、基礎定着板部と隣り合う位置においてスタッド４が設けられている。そして、基礎の各側面部に、割裂補強されたモルタル５が、アンカー側のスタッドと基礎側のスタッドとを埋め込み状態とするように設けられ、該モルタルによってアンカーの基礎定着板部と基礎とが一体化されている。【選択図】      図１
2010281169.tif 000002
【特許請求の範囲】
【請求項１】
コンクリートの連続基礎に後施工でアンカーを取り付ける後施工アンカーの取付け構造であって、
前記アンカーが、基礎の各側面部に沿わされる基礎定着板部を備えると共に、各基礎定着板部の外面部にはアンカー側スタッドが一体的に設けられており、
該アンカーの基礎定着板部が基礎の各側面部に沿わされた状態に配置されると共に、基礎の各側面部には、前記基礎定着板部と隣り合う位置において基礎側スタッドが設けられ、かつ、基礎の各側面部に、割裂補強されたモルタルが、前記アンカー側のスタッドと基礎側のスタッドとを埋め込み状態とするように設けられて、該モルタルによってアンカーの基礎定着板部と基礎とが一体化されていることを特徴とする後施工アンカーの取付け構造。
【請求項２】
前記モルタルが、開口側の端部をアンカーの基礎定着板部を介して基礎の側面部に沿わせるように配置した有底鋼管内に打ち込まれて割裂補強されている請求項１に記載の後施工アンカーの取付け構造。
【請求項３】
前記モルタルが、埋込み状態にされた割裂補強筋で割裂補強されている請求項１に記載の後施工アンカーの取付け構造。
【発明の詳細な説明】
【技術分野】
【０００１】
本発明は、後施工アンカーの取付け構造に関する。
【背景技術】
【０００２】
例えば、住宅等の建物の増改築において耐力壁の位置を変更するような場合、既存のコンクリート基礎に新たにアンカーを取り付ける必要がある。そのような場合のアンカーの取付け方法として、
・  基礎を大きくはつってアンカーをセットしコンクリートを打ち直すという方法や、
・  アンカーに、基礎の各側面部に沿わせる基礎定着板部を一体的に設け、これら両基礎定着板部を、コンクリート基礎を貫通させたボルトで連結するという方法がある。
【先行技術文献】
【特許文献】
【０００３】
【特許文献１】特開２００８−０６３７５１号公報
【特許文献２】特開２００８−１２１２３４号公報
【特許文献３】特開２００９−００２０８１号公報
【発明の概要】
【発明が解決しようとする課題】
【０００４】
しかしながら、前者の方法では、コンクリート基礎をはつる際の振動や騒音が問題となり、後者の方法では、両基礎定着板部を連結する貫通ボルトが、コンクリート基礎中の鉄筋等と干渉することがあり、その場合は、アンカーの取付け位置をずらさなければならず、精度の良い取付けを行うことができないという問題がある。
【０００５】
本発明は、上記のような問題点に鑑み、問題となるような振動や騒音を発することがなく、しかも、アンカーをコンクリート基礎に対してしっかりとした取付け状態にすることができ、加えて、精度良く取り付けることができる後施工アンカーの取付け構造を提供することを課題とする。
【課題を解決するための手段】
【０００６】
上記の課題は、コンクリートの連続基礎に後施工でアンカーを取り付ける後施工アンカーの取付け構造であって、
前記アンカーが、基礎の各側面部に沿わされる基礎定着板部を備えると共に、各基礎定着板部の外面部にはアンカー側スタッドが一体的に設けられており、
該アンカーの基礎定着板部が基礎の各側面部に沿わされた状態に配置されると共に、基礎の各側面部には、前記基礎定着板部と隣り合う位置において基礎側スタッドが設けられ、かつ、基礎の各側面部に、割裂補強されたモルタルが、前記アンカー側のスタッドと基礎側のスタッドとを埋め込み状態とするように設けられて、該モルタルによってアンカーの基礎定着板部と基礎とが一体化されていることを特徴とする後施工アンカーの取付け構造によって解決される（第１発明）。
【０００７】
この構造では、アンカーの基礎定着板部と基礎とが、アンカー側のスタッドと基礎側のスタッドとを、割裂補強されたモルタル中に埋込み状態にすることで一体化されているので、
・  アンカーをコンクリート基礎に対してしっかりとした取付け状態にすることができ、
・  しかも、基礎側に設けるスタッドの位置を、コンクリート基礎中の鉄筋等との関係で、該鉄筋等を避けるようにずらせても、アンカーの基礎定着板部の位置はずらす必要がなく、そのため、アンカーを基礎に対して所定の位置に精度良く取り付けることができる。
【０００８】
もちろん、コンクリート基礎に対しては、基礎側のスタッドを取り付けるための孔を明けるだけでよいので、問題となるような振動や騒音を発することもない。
【０００９】
モルタルの割裂補強は、モルタルを、開口側の端部をアンカーの基礎定着板部を介して基礎の側面部に沿わせるように配置した有底鋼管内に打ち込むことによって行われたものであってもよいし（第２発明）、モルタル中に割裂補強筋を埋込み状態にすることによって行われたものであってもよい（第３発明）。第２発明の場合は、有底鋼管に型枠を兼ねさせることができて施工を容易にすることができる。
【発明の効果】
【００１０】
本発明の後施工アンカーの取付け構造は、以上のとおりのものであるから、問題となるような振動や騒音を発することがなく、しかも、アンカーをコンクリート基礎に対してしっかりとした取付け状態にすることができ、加えて、精度良く取り付けることができる。
【図面の簡単な説明】
【００１１】
【図１】第１実施形態の取付け構造を示すもので、図（イ）は断面側面図、図（ロ）は図（イ）のＩ−Ｉ線矢視正面図である。
【図２】図（イ）〜図（ハ）は、図３及び図４と共に、取付けの施工方法を順次に示す断面側面図と正面図である。
【図３】図（ニ）〜図（ヘ）は、図２及び図４と共に、取付けの施工方法を順次に示す正面図と断面側面図である。
【図４】図（ト）〜図（リ）は、図２及び図３と共に、取付けの施工方法を順次に示す断面側面図と平面図である。
【図５】第２実施形態の取付け構造を示すもので、図（イ）は断面側面図、図（ロ）は正面図である。
【発明を実施するための形態】
【００１２】
次に、本発明の実施形態を図面に基づいて説明する。
【００１３】
図１に示す第１実施形態の取付け構造において、１は鉄骨コンクリートの連続基礎、２はアンカーであり、アンカー２は、鋼製のベース板部２ａの両側部に、基礎１の各側面部１ａ，１ａに沿わされる鋼製の基礎定着板部２ｂ，２ｂが垂下状態に一体的に連接されたものからなっていて、基礎定着板部２ｂ，２ｂの外面部には、スタッド２ｃ…が溶接などにより一体的に設けられている。なお、ベース板部２ａ上には、ピース状の鋼製土台３が一体的に備えられており、該鋼製土台３は、ベース板部２ａに対し、ボルトで一体化されていてもよいし、溶接で一体化されていてもよい。
【００１４】
そして、上記のアンカー２は、基礎定着板部２ｂ，２ｂが基礎１の各側面部１ａ，１ａに沿わされた状態に配置され、基礎１の各側面部には、基礎定着板部２ｂ，２ｂと隣り合う位置において、スタッド４…が一体的に設けられ、基礎１の各側面部には、割裂補強されたモルタル５，５が、アンカー２側のスタッド２ｃ…と基礎１側のスタッド４…とを埋め込み状態とするように設けられることにより、該モルタル５によってアンカー２の基礎定着板部２ｂ，２ｂと基礎１とが一体化されている。
【００１５】
モルタル５は、無収縮モルタルからなっており、開口側の端部６ａをアンカー２の基礎定着板部２ｂを介して基礎１の側面部に沿わせるように配置した有底鋼管６内に打ち込まれることで割裂補強されている。なお、７は鋼製柱、８はブレースである。
【００１６】
施工は、図２（イ）〜（ハ）に示すように、アンカー２を基礎１の延びる方向における所定の設定位置にセットした後、図３（ニ）（ホ）に示すように、基礎１の各側面部に、基礎定着板部２ｂ，２ｂと隣り合う位置であって、コンクリート基礎１中の鉄筋等と干渉しない位置において、穿孔し、基礎１側のスタッド４…を設置し、そして、図３（ヘ）及び図４（ト）に示すように、割裂補強用の有底鋼管６を、その開口側の端部がアンカー２の基礎定着板部２ｂを介して基礎１の側面部に沿うようにセットする。
【００１７】
該有底鋼管６の周壁部には、図４（チ）に示すように、モルタル充填孔６ｂと充填確認孔６ｃとが周方向において接近状態で隣り合うように設けられており、有底鋼管６は、充填確認孔６ｃを直上とするようにしてセットし、充填孔６ｂを通じて有底鋼管６内にモルタルを充填していき、充填確認孔６ｃによってモルタルの充填状態を確認することにより、図４（リ）に示すように、有底鋼管６内にモルタル５を充満状態にする。充填したモルタル５が硬化すれば、アンカー２の取付けは完了である。
【００１８】
このように、上記の取付け構造によれば、アンカー２の基礎定着板部２ｂ，２ｂとコンクリート基礎１とが、アンカー２側のスタッド２ｃ…と基礎１側のスタッド４…とを、有底鋼管６で割裂補強されたモルタル５中に埋込み状態にすることで一体化されているので、アンカー２をコンクリート基礎１に対してしっかりとした取付け状態にすることができ、しかも、基礎１側に設けるスタッド４…の位置を、コンクリート基礎１中の鉄筋等との関係で、該鉄筋等を避けるようにずらせても、アンカー２の基礎定着板部２ｂ，２ｂの位置はずらす必要がなく、そのため、アンカー２を基礎に対して所定の位置に精度良く取り付けることができる。もちろん、コンクリート基礎１に対しては、基礎１側のスタッド４…を取り付けるための孔を明けるだけでよいので、問題となるような振動や騒音を発することもない。
【００１９】
また、本実施形態では、モルタル５を有底鋼管６によって割裂補強しているので、有底鋼管６をモルタル５のための型枠として利用することができて、施工を容易にすることができる。
【００２０】
図５に示す第２実施形態の取付け構造は、モルタル５を、該モルタル５中に埋込み状態にした割裂補強筋９によって割裂補強したものである。この場合は、モルタル５は、別途に用意した型枠をセットして打ち込まれ、硬化後に脱型をするという工程を経て形成される。
【符号の説明】
【００２１】
１…コンクリート基礎
２…アンカー
２ｂ…基礎定着板部
２ｃ…スタッド
４…スタッド
５…モルタル
６…有底鋼管
９…割裂補強筋
【図１】
2010281169.tif 000003
【図２】
2010281169.tif 000004
【図３】
2010281169.tif 000005
【図４】
2010281169.tif 000006
【図５】
2010281169.tif 000007